(57)【特許請求の範囲】
【請求項１】
カードを挿入するカード挿入口と、このカード挿入口に連通するカード処理通路と、このカード処理通路内に取り込まれたカードを処理するカード処理部と、前記カード処理通路の前記カード挿入口に近接した部位内に進退自在なシャッタ部材とを備えたカードリーダのシャッタ構造において、前記シャッタ部材をソレノイドによって駆動されるピンとし、このピンの前記カードの先端が当接する面を、ピンが挿入される方向に向かって漸次外側に拡がる傾斜面に形成したことを特徴とするカードリーダのシャッタ構造。
【請求項２】
請求項１記載のカードリーダのシャッタ構造において、前記カード処理通路を、取り込まれるカードの厚み方向に互いに対向する２つのカード搬送路部材によって形成し、一方のカード搬送路部材に、前記カード処理通路内に進出した前記ピンの先端部が臨む空間を設けたことを特徴とするカードリーダのシャッタ構造。
【請求項３】
請求項１または２記載のカードリーダのシャッタ構造において、前記２つのカード搬送路部材間の間隔のうち、前記ピンがカード処理通路内に進出する部位近傍の間隔を相対的に狭く形成したことを特徴とするカードリーダのシャッタ構造。
【発明の詳細な説明】
【０００１】
【発明の属する技術分野】
本発明は、磁気カード、ＩＣカード等の情報が記録されたカードを装置内部に取り込み、カード処理部でカードの情報を読み書きするカードリーダに関し、特に、２枚目のカードの取込みを規制するシャッタ構造に関する。
【０００２】
【従来の技術】
この種のカードリーダにおいては、カード挿入口から挿入され装置内部のカード処理部で１枚目のカードが処理されている間に、２枚目のカードが故意または誤ってカード挿入口から挿入されると、カードリーダ本体の故障の原因となるため、２枚目のカードの取込みを規制するシャッタが設けられている。種々のシャッタの構造のうち、構造の簡素化および製造コストの低減を目的としたものとして、ソレノイドに備えられた進退自在なピンを利用したものがある。図６は従来のカードリーダのシャッタ構造を説明するための要部の側面図である。
【０００３】
同図に基づいてこれを説明すると、２５はソレノイドであって、内部にコイルが巻回され装置に固定された電磁石２６と、この電磁石２６の中央に形成した貫通孔内を矢印Ａ−Ｂ方向に移動自在な可動鉄心で形成した駆動ピン２７とによって概略構成されている。２９はクランク状に形成された連結板であって、この連結板２９の略中央には駆動ピン２７が植設され、両端部には共に丸棒状に形成したシャッタピン３０と係止ピン３１とが植設されている。このような構成において、電磁石２６のコイルに通電すると、駆動ピン２７が矢印Ａ方向に吸引され、図６に示すようにシャッタピン３０と係止ピン３１の先端部がカード処理通路７内に進出する。したがって、カード挿入口兼排出口８から挿入される２枚目のカード６Ｂの先端は、シャッタピン３０のカード処理通路７内に進出した部位の周面に当接し、２枚目のカード６Ｂのカード処理通路７内への挿入が規制される。
【０００４】
【発明が解決しようとする課題】
上述したソレノイドを用いた従来のシャッタ構造においては、ソレノイドを励磁させるとき、すなわち、シャッタピン３０をカード処理通路７内に進出させるときは、このソレノイドが動作可能な電圧を印加する。一方、一旦シャッタピン３０をカード処理通路７内に進出させた状態、すなわち励磁状態においては、発熱等の問題から励磁状態を維持できる最小限の電圧を印加するように、上述したソレノイドを励磁させるときよりも印加電圧を下げている。したがって、この励磁状態のときに、カード挿入口兼排出口８から２枚目のカード６Ｂが挿入されこじられると、シャッタピン３０が押し下げられやすく、かつ押し下げられるとシャッタピン３０は復旧しない。このため、２枚目のカード６Ｂがカード処理通路７内に挿入されてしまう。特に、カード６Ｂの先端がシャッタピン３０に当接したときに、カード６Ｂの先端部が図中下方に撓んだ場合には、カード６Ｂを挿入しようとする押圧力Ｆが、シャッタピン３０に対して斜め下方に作用する。このため、シャッタピン３０にはシャッタピンを下方に押し下げる分力Ｆ１が発生するので、シャッタピン３０は電磁石２６の吸引力に抗して下方に押し下げられ、カード６Ｂがカード処理通路７内に挿入され易くなる。これを防止しようとしてソレノイドの励磁力を大きくすると、ソレノイドが大型化してしまう。
【０００５】
本発明は上記した従来の問題に鑑みなされたものであり、その目的とするところは、構造の簡素化および製造コストの低減を図っているにもかかわらずカードの挿入を確実に規制するカードリーダのシャッタ構造を提供することにある。
【０００６】
【課題を解決するための手段】
この目的を達成するために、請求項１に係る発明は、カードを挿入するカード挿入口と、このカード挿入口に連通するカード処理通路と、このカード処理通路内に取り込まれたカードを処理するカード処理部と、前記カード処理通路の前記カード挿入口に近接した部位内に進退自在なシャッタ部材とを備えたカードリーダのシャッタ構造において、前記シャッタ部材をソレノイドによって駆動されるピンとし、このピンの前記カードの先端が当接する面を、ピンが挿入される方向に向かって漸次外側に拡がる傾斜面に形成したものである。
したがって、カードの先端がピンの傾斜面に当接すると、カードを挿入する押圧力によって、ピンを挿入する方向の分力がピンに発生する。
【０００７】
また、請求項２に係る発明は、請求項１に係る発明において、前記カード処理通路を、取り込まれるカードの厚み方向に互いに対向する２つのカード搬送路部材によって形成し、一方のカード搬送路部材に、前記カード処理通路内に進出した前記ピンの先端部が臨む空間を設けたものである。
したがって、進出したピンの先端と一方のカード搬送路部材の表面との間に隙間が生じるようなことはない。
【０００８】
また、請求項３に係る発明は、請求項１または２に係る発明において、前記２つのカード搬送路部材間の間隔のうち、前記ピンがカード処理通路内に進出する部位近傍の間隔を相対的に狭く形成したものである。
したがって、ピンの進出ストロークを小さく設定できる。
【０００９】
【発明の実施の形態】
以下、本発明の実施の形態を図に基づいて説明する。図１は本発明に係るカードリーダを示し、同図（ａ）はアッパーケースを取り除いた状態で示す平面図、同図（ｂ）は同図（ａ）におけるI（ｂ）-I（ｂ） 線断面図である。図２は同じく正面図、図３は同じくソレノイドを分解して示す斜視図、図４は同じく要部を拡大して示す断面図、図５は同じく動作を説明するための詳細な側面図である。
【００１０】
図１において、全体を符号１で示すカードリーダは、共に断面が略コ字状に形成されたアッパーケース２およびロアーケース３とによって形成され、アッパーケース２のカード搬送路部材としての底板４と、ロアーケース３のカード搬送路部材としての上板５とが対向することにより、カード処理通路７が形成される。このカード処理通路７の矢印Ｄ方向の端部側には、カード処理通路７に連通しカードが挿入されかつカードが排出されるカード挿入口兼排出口８が設けられている。
【００１１】
アッパーケース２の底板４のカード挿入口兼排出口８側の端部１０は、ロアーケース３の上板５側に突出形成され、この部位のカード処理通路の間隔が相対的に狭く形成されており、端部１０の下面にはシャッタピン３０の上端部が臨む空間１２が凹設されている。ロアーケース３の上板５の空間１２に対応する部位には、シャッタピン３０が進退する第１の貫通孔１５が穿設され、この第１の貫通孔１５から矢印Ｃ方向に離間した部位には、係止ピン３１が進退する第２の貫通孔１６が穿設されている。
【００１２】
１８はアンテナ基板であって、カード処理通路７内に取り込まれたカード６Ａに記録された情報を無線を介して読み書きして、図示を省略した制御部によってカード６Ａの情報を処理するカード処理部を構成している。２０はロアーケース３の上板５に形成された細長い長方形の窓であって、この窓２０から一対のピンチローラ２１，２１間に張架された従動ベルト２２がカード搬送路７内に臨んでいる。この従動ベルト２２に対接する駆動ベルト（図示せず）がアッパーケース２側に設けられ、これら両ベルトによってカード挿入口兼排出口８から挿入されたカード６Ａがカード処理通路７内に取り込まれ、かつカード処理後にカード挿入口兼排出口８から排出するように構成されている。
【００１３】
図３に示すように、電磁石２６の中央には、大径部と小径部とからなる貫通孔２６ａが設けられ、この貫通孔２６ａ内に嵌挿された駆動ピン２７と、電磁石２６との間には圧縮コイルばね２８が弾装され、駆動ピン２７は矢印Ｂ方向に付勢されている。図１（ｂ）において、このソレノイド２５は、ロアーケース３に固定された図示を省略した支持部材によって、連結板２９の矢印Ｂ方向への抜けと電磁石２６の矢印Ｂ方向への落下が規制されるようにして、ロアーケース３の上板５に取り付けられている。
【００１４】
次に、図４を用いて本発明の特徴であるシャッタピンの構造について説明する。
同図に示すように、シャッタピン３０がカード処理通路７内に進出したときに、このシャッタピン３０のカード処理通路７内に進出した部位３０ａ、すなわちカード６Ｂの先端が当接する当接部３０ａの周面を、シャッタピン３０が挿入される方向（矢印Ａ方向）に向かって漸次外側に拡がる傾斜面で形成している。また、このシャッタピン３０は第１の貫通孔１５からカード処理通路７内に進出したときに、上端部３０ｂと当接部３０ａの一部が、アッパーケース２の底板４の空間１２内に臨むように構成されている。
【００１５】
次に、このような構成のカードリーダにおけるシャッタピンの動作を説明する。
図１（ｂ）において、予め、ソレノイド２５の電磁石２６のコイルへの通電が遮断され、連結板２９が矢印Ｂ方向に移動しており、シャッタピン３０と係止ピン３１とがカード処理通路７から退出した状態になっている。この状態で、１枚目のカード６Ａがカード挿入口兼排出口８から挿入されると、図示を省略したセンサによってこれを検知することにより、駆動ベルト（図示せず）と従動ベルト２２が矢印Ｃ方向に走行するので、カード６Ａはカード処理通路７内に取り込まれる。カード６Ａの後端が第２の貫通孔１６を通過すると、これを図示を省略したセンサが検知し、電磁石２６のコイルに通電され、連結板２９が矢印Ａ方向に移動するので、シャッタピン３０および係止ピン３１が、第１の貫通孔１５および第２の貫通孔１６のそれぞれからカード処理通路７内に進出する。
【００１６】
カード６Ａがカード処理通路７内に取り込まれた後、駆動ベルト（図示せず）と従動ベルト２２が矢印Ｄ方向にわずかに走行することにより、カード６Ａの後端が係止ピン３１に係止し、カード６Ａが位置決めされた後、アンテナ基板１８によってカード６Ａに記録された情報の処理が行われる。このときに、２枚目のカード６Ｂがカード挿入口兼排出口８に挿入されると、図５に示すように、カード６Ｂの先端がシャッタピン３０の当接部３０ａに当接する。当接部３０ａの周面が、シャッタピン３０が挿入される方向（矢印Ａ方向）に向かって漸次外側に拡がる傾斜面に形成されていることにより、カード６Ｂを挿入しようとする押圧力Ｆが、シャッタピン３０に対して斜め上方に作用する。
【００１７】
したがって、シャッタピン３０には、シャッタピン３０を上方に押し上げる分力Ｆ２が発生するので、シャッタピン３０の上端とアッパーケース２の底板４の下面との間に隙間が発生しない。このため、２枚目のカード６Ｂがシャッタピン３０の上端からカード処理通路７内に挿入されるのを確実に規制することができる。しかも、このとき、シャッタピン３０の上端部３０ｂがアッパーケース２の空間１２内に臨んでいるため、２枚目のカード６Ｂがシャッタピン３０の上端からカード処理通路７内に挿入されるのをより確実に規制することができる。さらに、シャッタピン３０がカード処理通路７に進出する部位１１の通路の間隔が相対的に狭く形成されていることにより、シャッタピン３０の移動ストロークを短くすることができるから、ソレノイド２５を小型化することができるとともに、省電力化を図ることができる。
【００１８】
１枚目のカード６Ａのカードに記録されている情報の処理が終了したら、電磁石２６への通電が遮断されるので、シャッタピン３０および係止ピン３１がカード処理通路７から退出する。駆動ベルトと従動ベルト２２が矢印Ｄ方向に走行することにより、カード６Ａがカード挿入口兼排出口８から排出される。
【００１９】
なお、本実施の形態では、シャッタピン３０を進退させるのに、連結板２９を介して行うようにしたが、駆動ピン２７をシャッタピンとして直接利用するようにしてもよい。また、カード６Ａの挿入と排出を同じカード挿入口兼排出口８を介して行ったが、カード挿入口とカード排出口を別に設けてもよい。
【００２０】
【発明の効果】
以上説明したように、請求項１に係る発明によれば、構造の簡素化および製造コストの低減を図っているにもかかわらず、カードの挿入を確実に規制することができる。
【００２１】
また、請求項２に係る発明によれば、カードの挿入をより確実に規制することができる。
【００２２】
また、請求項３に係る発明によれば、ピンの移動ストロークを短くすることができるから、ソレノイドを小型化することができるとともに、省電力化を図ることができる。
【図面の簡単な説明】
【図１】  本発明に係るカードリーダを示し、同図（ａ）はアッパーケースを取り除いた状態で示す平面図、同図（ｂ）は同図（ａ）における I（ｂ）-I（ｂ）線断面図である。
【図２】  本発明に係るカードリーダの正面図である。
【図３】  本発明に係るカードリーダにおけるソレノイドを分解して示す斜視図である。
【図４】  本発明に係るカードリーダにおいて要部を拡大して示す断面図である。
【図５】  本発明に係るカードリーダにおいて動作を説明するための詳細な側面図である。
【図６】  従来のシャッタ構造を説明するための要部の側面図である。
【符号の説明】
１…カードリーダ、４…底板（カード搬送路部材）、５…上板（カード搬送路部材）、６Ａ…１枚目のカード、６Ｂ…２枚目のカード、８…カード挿入口兼排出口、１２…空間、２２…従動ベルト、２５…ソレノイド、２７…駆動ピン、３０…シャッタピン、３１…係止ピン。
【図１】
0003770162.tif 000002
【図２】
0003770162.tif 000003
【図３】
0003770162.tif 000004
【図４】
0003770162.tif 000005
【図５】
0003770162.tif 000006
【図６】
0003770162.tif 000007